(57)【特許請求の範囲】
【請求項１】
冷媒を循環させる冷媒回路と、熱媒体を流通させる熱媒体回路と、前記冷媒と前記熱媒体との熱交換を行う熱交換器と、を備えるヒートポンプ利用機器の一部を構成し、前記冷媒回路及び前記熱交換器を収容する室外機に接続され、前記熱媒体回路の一部を収容するヒートポンプ利用機器の室内機であって、
前記熱媒体回路に接続された圧力保護装置と、
前記熱媒体回路と前記圧力保護装置との間に介在して設けられた開閉装置と、
前記開閉装置を制御する制御部と、を有し、
前記制御部は、前記室外機から取得した情報に基づいて前記開閉装置を開閉するように構成されているヒートポンプ利用機器の室内機。
【請求項２】
前記熱媒体回路は、主回路と、前記主回路に対して分岐して接続された複数の枝回路と、を有しており、
前記圧力保護装置は、前記主回路に接続されている請求項１に記載のヒートポンプ利用機器の室内機。
【請求項３】
前記開閉装置と前記主回路との間を接続する配管には第１分岐部が設けられており、
前記第１分岐部には膨張タンクが接続されている請求項２に記載のヒートポンプ利用機器の室内機。
【請求項４】
冷媒を循環させる冷媒回路と、熱媒体を流通させる熱媒体回路と、前記冷媒と前記熱媒体との熱交換を行う熱交換器と、を備えるヒートポンプ利用機器の一部を構成し、前記冷媒回路及び前記熱交換器を収容する室外機に接続され、前記熱媒体回路の一部を収容するヒートポンプ利用機器の室内機であって、
前記熱媒体回路に接続された空気抜き装置と、
前記熱媒体回路と前記空気抜き装置との間に介在して設けられた開閉装置と、
前記開閉装置を制御する制御部と、を有し、
前記制御部は、前記室外機から取得した情報に基づいて前記開閉装置を開閉するように構成されているヒートポンプ利用機器の室内機。
【請求項５】
前記熱媒体回路は、主回路と、前記主回路に対して分岐して接続された複数の枝回路と、を有しており、
前記空気抜き装置は、前記主回路に接続されている請求項４に記載のヒートポンプ利用機器の室内機。
【請求項６】
前記開閉装置と前記主回路との間を接続する配管には第１分岐部が設けられており、
前記第１分岐部には膨張タンクが接続されている請求項５に記載のヒートポンプ利用機器の室内機。
【請求項７】
前記情報は、前記冷媒の名称の情報、前記冷媒の燃焼性の情報、前記室外機が前記熱媒体回路に接続された圧力保護装置を有しているか否かを表す情報、前記室外機が前記熱媒体回路に接続された空気抜き装置を有しているか否かを表す情報、又は、前記室外機が前記熱媒体回路に接続された圧力保護装置及び空気抜き装置を有しているか否かを表す情報である請求項１〜請求項６のいずれか一項に記載のヒートポンプ利用機器の室内機。
【請求項８】
前記制御部は、前記冷媒が可燃性冷媒であると判断した場合、前記開閉装置を閉状態にするように構成されている請求項１〜請求項７のいずれか一項に記載のヒートポンプ利用機器の室内機。
【請求項９】
前記制御部は、前記冷媒が不燃性冷媒であると判断した場合、前記開閉装置を開状態にするように構成されている請求項１〜請求項８のいずれか一項に記載のヒートポンプ利用機器の室内機。
【請求項１０】
前記制御部は、前記室外機が前記熱媒体回路に接続された圧力保護装置を有していると判断した場合、前記開閉装置を閉状態にするように構成されている請求項１〜請求項９のいずれか一項に記載のヒートポンプ利用機器の室内機。
【請求項１１】
前記制御部は、前記室外機が前記熱媒体回路に接続された圧力保護装置を有していると判断できない場合、前記開閉装置を開状態にするように構成されている請求項１〜請求項１０のいずれか一項に記載のヒートポンプ利用機器の室内機。
【請求項１２】
前記制御部は、前記室外機が前記熱媒体回路に接続された空気抜き装置を有していると判断した場合、前記開閉装置を閉状態にするように構成されている請求項１〜請求項１１のいずれか一項に記載のヒートポンプ利用機器の室内機。
【請求項１３】
前記制御部は、前記室外機が前記熱媒体回路に接続された空気抜き装置を有していると判断できない場合、前記開閉装置を開状態にするように構成されている請求項１〜請求項１２のいずれか一項に記載のヒートポンプ利用機器の室内機。
【請求項１４】
請求項１〜請求項１３のいずれか一項に記載のヒートポンプ利用機器の室内機と、前記室外機と、を備えたヒートポンプ利用機器。
【請求項１５】
前記室外機は、前記熱媒体回路に接続された圧力保護装置及び空気抜き装置の少なくとも一方を有する請求項１４に記載のヒートポンプ利用機器。
【発明の詳細な説明】
【技術分野】
【０００１】
本発明は、冷媒回路と熱媒体回路とを有するヒートポンプ利用機器の一部を構成するヒートポンプ利用機器の室内機及びそれを備えたヒートポンプ利用機器に関するものである。
【背景技術】
【０００２】
特許文献１には、可燃性冷媒を用いたヒートポンプサイクル装置の室外機が記載されている。この室外機は、圧縮機、空気熱交換器、絞り装置及び水熱交換器が配管接続された冷媒回路と、水熱交換器で加熱された水を供給するための水回路内の水圧の過上昇を防止する圧力逃がし弁と、を備えている。これにより、水熱交換器において冷媒回路と水回路とを隔離する隔壁が破壊されて、可燃性冷媒が水回路に混入した場合でも、圧力逃がし弁を介して可燃性冷媒を屋外に排出することができる。
【先行技術文献】
【特許文献】
【０００３】
【特許文献１】特開２０１３−１６７３９８号公報
【発明の概要】
【発明が解決しようとする課題】
【０００４】
ヒートポンプサイクル装置等のヒートポンプ利用機器では、一般に、水回路の圧力逃がし弁は室内機に設けられている。ヒートポンプ利用機器における室外機及び室内機の組合せは様々であり、同一メーカの室外機と室内機とが組み合わされる場合だけでなく、異なるメーカの室外機と室内機とが組み合わされる場合もある。したがって、特許文献１に記載の室外機は、圧力逃がし弁が設けられた室内機と組み合わされる場合もある。【０００５】
しかしながら、この場合、可燃性冷媒が水回路に漏洩すると、水回路の水に混入した可燃性冷媒は、室外機に設けられた圧力逃がし弁からだけでなく、室内機に設けられた圧力逃がし弁からも排出される場合がある。したがって、室内に可燃濃度域が生成されてしまうおそれがあるという課題があった。【０００６】
本発明は、上述のような課題を解決するためになされたものであり、室内に可燃濃度域が生成されてしまうのを抑制できるヒートポンプ利用機器の室内機及びそれを備えたヒートポンプ利用機器を提供することを目的とする。
【課題を解決するための手段】
【０００７】
本発明に係るヒートポンプ利用機器の室内機は、冷媒を循環させる冷媒回路と、熱媒体を流通させる熱媒体回路と、前記冷媒と前記熱媒体との熱交換を行う熱交換器と、を備えるヒートポンプ利用機器の一部を構成し、前記冷媒回路及び前記熱交換器を収容する室外機に接続され、前記熱媒体回路の一部を収容するヒートポンプ利用機器の室内機であって、前記熱媒体回路に接続された圧力保護装置と、前記熱媒体回路と前記圧力保護装置との間に介在して設けられた開閉装置と、前記開閉装置を制御する制御部と、を有し、前記制御部は、前記室外機から取得した情報に基づいて前記開閉装置を開閉するように構成されているものである。
本発明に係るヒートポンプ利用機器は、本発明に係るヒートポンプ利用機器の室内機と、前記室外機と、を備えたものである。
【発明の効果】
【０００８】
本発明によれば、冷媒が熱媒体回路に漏洩したとしても、熱媒体に混入した冷媒が圧力保護装置から室内に排出されるのを開閉装置によって防ぐことができる。したがって、冷媒として可燃性冷媒が用いられる室外機に接続される場合であっても、室内に可燃濃度域が生成されてしまうのを抑制することができる。
【図面の簡単な説明】
【０００９】
【図１】本発明の実施の形態１に係るヒートポンプ利用機器の概略構成を示す回路図である。
【図２】本発明の実施の形態１の変形例に係るヒートポンプ利用機器の概略構成を示す回路図である。
【図３】本発明の実施の形態２に係るヒートポンプ利用機器の概略構成を示す回路図である。
【図４】本発明の実施の形態３に係るヒートポンプ利用機器の概略構成を示す回路図である。
【図５】本発明の実施の形態４に係るヒートポンプ利用機器の室内機の一部の構成を示す回路図である。
【発明を実施するための形態】
【００１０】
実施の形態１．
本発明の実施の形態１に係るヒートポンプ利用機器の室内機及びそれを備えたヒートポンプ利用機器について説明する。図１は、本実施の形態に係るヒートポンプ利用機器の概略構成を示す回路図である。本実施の形態では、ヒートポンプ利用機器として、ヒートポンプ給湯装置１０００を例示している。また、本実施の形態では、冷媒として可燃性冷媒が用いられた室外機１００Ａと、室内機２００と、が組み合わされたヒートポンプ給湯装置１０００を例示している。なお、図１を含む以下の図面では、各構成部材の寸法の関係や形状等が実際のものとは異なる場合がある。
【００１１】
図１に示すように、ヒートポンプ給湯装置１０００は、冷媒を循環させる冷媒回路１１０と、水を流通させる水回路２１０と、を有している。また、ヒートポンプ給湯装置１０００は、室外（例えば、屋外）に設置される室外機１００Ａと、室内に設置される室内機２００と、を有している。室内機２００は、例えば、キッチンやバスルーム、ランドリールームの他、建物の内部にある納戸などの収納スペースに設置される。
【００１２】
冷媒回路１１０は、圧縮機３、冷媒流路切替装置４、負荷側熱交換器２、第１減圧装置６、中圧レシーバ５、第２減圧装置７、及び熱源側熱交換器１が冷媒配管を介して順次環状に接続された構成を有している。ヒートポンプ給湯装置１０００の冷媒回路１１０では、水回路２１０を流れる水を加熱する通常運転（例えば、暖房給湯運転）と、通常運転に対して冷媒を逆方向に流通させ、熱源側熱交換器１の除霜を行う除霜運転と、が可能となっている。
【００１３】
圧縮機３は、吸入した低圧冷媒を圧縮し、高圧冷媒として吐出する流体機械である。本例の圧縮機３は、インバータ装置等を備え、駆動周波数を任意に変化させることにより、容量（単位時間あたりに冷媒を送り出す量）を変化させることができるものとする。
【００１４】
冷媒流路切替装置４は、通常運転時と除霜運転時とで冷媒回路１１０内の冷媒の流れ方向を切り替えるものである。冷媒流路切替装置４としては、例えば四方弁が用いられる。
【００１５】
負荷側熱交換器２は、冷媒回路１１０を流れる冷媒と、水回路２１０を流れる水と、の熱交換を行う水熱交換器である。負荷側熱交換器２としては、例えば、プレート式熱交換器が用いられる。負荷側熱交換器２は、冷媒回路１１０の一部として冷媒を流通させる冷媒流路と、水回路２１０の一部として水を流通させる水流路と、冷媒流路と水流路とを隔離する薄板状の隔壁と、を有している。負荷側熱交換器２は、通常運転時には水を加熱する凝縮器（放熱器）として機能し、除霜運転時には蒸発器（吸熱器）として機能する。
【００１６】
第１減圧装置６は、冷媒の流量を調整し、例えば負荷側熱交換器２を流れる冷媒の圧力調整を行う。中圧レシーバ５は、冷媒回路１１０において、第１減圧装置６と第２減圧装置７との間に位置し、余剰冷媒を溜めておくものである。中圧レシーバ５の内部には、圧縮機３の吸入側と接続されている吸入配管１１が通過している。中圧レシーバ５では、吸入配管１１を通過する冷媒と、中圧レシーバ５内の冷媒との熱交換が行われる。このため、中圧レシーバ５は、冷媒回路１１０における内部熱交換器としての機能を有している。第２減圧装置７は、冷媒の流量を調整し、圧力調整を行う。本例の第１減圧装置６及び第２減圧装置７は、後述する制御装置１０１からの指示に基づいて開度を変化させることができる電子膨張弁である。
【００１７】
熱源側熱交換器１は、冷媒回路１１０を流れる冷媒と、室外送風機（図示せず）等により送風される室外空気との熱交換を行う空気熱交換器である。熱源側熱交換器１は、通常運転時には蒸発器（吸熱器）として機能し、除霜運転時には凝縮器（放熱器）として機能する。
【００１８】
冷媒回路１１０を循環する冷媒としては、例えば、Ｒ１２３４ｙｆ、Ｒ１２３４ｚｅ（Ｅ）等の微燃性冷媒、又は、Ｒ２９０、Ｒ１２７０等の強燃性冷媒が用いられる。これらの冷媒は単一冷媒として用いられてもよいし、２種以上が混合された混合冷媒として用いられてもよい。以下、微燃レベル以上（例えば、ＡＳＨＲＡＥ３４の分類で２Ｌ以上）の燃焼性を有する冷媒のことを「可燃性を有する冷媒」又は「可燃性冷媒」という場合がある。また、後述するように、冷媒回路１１０を循環する冷媒としては、不燃性（例えば、ＡＳＨＲＡＥ３４の分類で１）を有するＲ４０７Ｃ、Ｒ４１０Ａ等の不燃性冷媒を用いることもできる。これらの冷媒は、大気圧下（例えば、温度は室温（２５℃））において空気よりも大きい密度を有している。
【００１９】
圧縮機３、冷媒流路切替装置４、負荷側熱交換器２、第１減圧装置６、中圧レシーバ５、第２減圧装置７及び熱源側熱交換器１を含む冷媒回路１１０は、室外機１００Ａに収容されている。すなわち、図１に示した室外機１００Ａは、冷媒として可燃性冷媒が用いられた室外機である。
【００２０】
また、室外機１００Ａには、主に冷媒回路１１０（例えば、圧縮機３、冷媒流路切替装置４、第１減圧装置６、第２減圧装置７、不図示の室外送風機等）の動作を制御する制御装置１０１が設けられている。制御装置１０１は、ＣＰＵ、ＲＯＭ、ＲＡＭ、Ｉ／Ｏポート等を備えたマイクロコンピュータを有している。制御装置１０１は、制御線１０２を介して、後述する制御装置２０１及び操作部２０２と相互に通信できるようになっている。
【００２１】
次に、冷媒回路１１０の動作の例について説明する。図１では、冷媒回路１１０における通常運転時の冷媒の流れ方向を実線矢印で示している。通常運転時には、冷媒流路切替装置４によって冷媒流路が実線矢印で示すように切り替えられ、高温高圧の冷媒が負荷側熱交換器２に流入するように冷媒回路１１０が構成される。
【００２２】
圧縮機３から吐出された高温高圧のガス冷媒は、冷媒流路切替装置４を経て、負荷側熱交換器２の冷媒流路に流入する。通常運転時には、負荷側熱交換器２は凝縮器として機能する。すなわち、負荷側熱交換器２では、冷媒流路を流れる冷媒と水流路を流れる水との熱交換が行われ、冷媒の凝縮熱が水に放熱される。これにより、負荷側熱交換器２の冷媒流路を流れる冷媒は、凝縮して高圧の液冷媒となる。また、負荷側熱交換器２の水流路を流れる水は、冷媒からの放熱によって加熱される。
【００２３】
負荷側熱交換器２で凝縮した高圧の液冷媒は、第１減圧装置６に流入し、若干減圧されて二相冷媒となる。この二相冷媒は、中圧レシーバ５に流入し、吸入配管１１を流れる低圧のガス冷媒との熱交換により冷却されて液冷媒となる。この液冷媒は、第２減圧装置７に流入し、減圧されて低圧の二相冷媒となる。低圧の二相冷媒は、熱源側熱交換器１に流入する。通常運転時には、熱源側熱交換器１は蒸発器として機能する。すなわち、熱源側熱交換器１では、内部を流通する冷媒と、室外送風機により送風される室外空気との熱交換が行われ、冷媒の蒸発熱が室外空気から吸熱される。これにより、熱源側熱交換器１に流入した冷媒は、蒸発して低圧のガス冷媒となる。低圧のガス冷媒は、冷媒流路切替装置４を経由して吸入配管１１に流入する。吸入配管１１に流入した低圧のガス冷媒は、中圧レシーバ５内の冷媒との熱交換により加熱され、圧縮機３に吸入される。圧縮機３に吸入された冷媒は、圧縮されて高温高圧のガス冷媒となる。通常運転では、以上のサイクルが連続的に繰り返される。
【００２４】
次に、除霜運転時の動作の例について説明する。図１では、冷媒回路１１０における除霜運転時の冷媒の流れ方向を破線矢印で示している。除霜運転時には、冷媒流路切替装置４によって冷媒流路が破線矢印で示すように切り替えられ、高温高圧の冷媒が熱源側熱交換器１に流入するように冷媒回路１１０が構成される。
【００２５】
圧縮機３から吐出された高温高圧のガス冷媒は、冷媒流路切替装置４を経て、熱源側熱交換器１に流入する。除霜運転時には、熱源側熱交換器１は凝縮器として機能する。すなわち、熱源側熱交換器１では、内部を流通する冷媒の凝縮熱が、熱源側熱交換器１の表面に付着した霜に放熱される。これにより、熱源側熱交換器１の内部を流通する冷媒は、凝縮して高圧の液冷媒となる。また、熱源側熱交換器１の表面に付着した霜は、冷媒からの放熱によって溶融する。
【００２６】
熱源側熱交換器１で凝縮した高圧の液冷媒は、第２減圧装置７、中圧レシーバ５及び第１減圧装置６を経由して低圧の二相冷媒となり、負荷側熱交換器２の冷媒流路に流入する。除霜運転時には、負荷側熱交換器２は蒸発器として機能する。すなわち、負荷側熱交換器２では、冷媒流路を流れる冷媒と水流路を流れる水との熱交換が行われ、冷媒の蒸発熱が水から吸熱される。これにより、負荷側熱交換器２の冷媒流路を流れる冷媒は、蒸発して低圧のガス冷媒となる。このガス冷媒は、冷媒流路切替装置４及び吸入配管１１を経由して、圧縮機３に吸入される。圧縮機３に吸入された冷媒は、圧縮されて高温高圧のガス冷媒となる。除霜運転では、以上のサイクルが連続的に繰り返される。
【００２７】
次に、水回路２１０について説明する。本実施の形態の水回路２１０は、水を循環させる閉回路であり、室外機１００Ａ側の水回路と室内機２００側の水回路とが接続されることによって構成されている。水回路２１０は、主回路２２０と複数の枝回路２２１、２２２とを有している。主回路２２０は、閉回路の一部を構成している。枝回路２２１、２２２は、それぞれ主回路２２０に対して分岐して接続されている。枝回路２２１、２２２は、互いに並列に設けられている。枝回路２２１は、主回路２２０と共に閉回路を構成している。枝回路２２２は、主回路２２０、及び当該枝回路２２２に接続される暖房機器３００と共に、閉回路を構成している。
【００２８】
本実施の形態では、水回路２１０を流通する熱媒体として水を例に挙げているが、熱媒体としては、ブライン等の他の液状熱媒体を用いることができる。
【００２９】
主回路２２０は、ストレーナ５６、フロースイッチ５７、負荷側熱交換器２、圧力逃がし弁５８、空気抜き弁５９、ブースタヒータ５４及びポンプ５３等が水配管を介して接続された構成を有している。主回路２２０を構成する水配管の途中には、水回路２１０内の水を排水するための排水口６２が設けられている。主回路２２０の下流端は、１つの流入口と２つの流出口とを備えた三方弁５５の流入口に接続されている。主回路２２０の上流端は、分岐部２３０に接続されている。
【００３０】
ポンプ５３は、水回路２１０内の水に圧力を与えて水回路２１０内を循環させる装置である。ブースタヒータ５４は、室外機１００Ａの加熱能力が足りない場合等に、水回路２１０内の水をさらに加熱する装置である。三方弁５５は、水回路２１０内の水を分岐させるための装置である。例えば、三方弁５５は、主回路２２０内の水を枝回路２２１側で循環させるか枝回路２２２側で循環させるかを切り替える。ストレーナ５６は、水回路２１０内のスケールを取り除く装置である。フロースイッチ５７は、水回路２１０内を循環する水の流量が一定量以上であるか否かを検出するための装置である。
【００３１】
ブースタヒータ５４には、圧力逃がし弁７０及び空気抜き弁７１が接続されている。圧力逃がし弁７０は圧力保護装置の一例であり、空気抜き弁７１は空気抜き装置の一例である。圧力逃がし弁７０及び空気抜き弁７１が枝回路２２１、２２２に接続される場合、圧力逃がし弁７０及び空気抜き弁７１は個々の枝回路２２１、２２２毎に設けられる必要がある。本実施の形態では、圧力逃がし弁７０及び空気抜き弁７１が主回路２２０に接続されているため、圧力逃がし弁７０及び空気抜き弁７１の数はそれぞれ１つでよい。特に、主回路２２０内で水温が最も高くなるのは、ブースタヒータ５４内である。このため、ブースタヒータ５４は、圧力逃がし弁７０が接続される部位として最適である。また、ブースタヒータ５４は一定の容積を有するため、ブースタヒータ５４内には水から分離したガスがたまりやすい。このため、ブースタヒータ５４は、空気抜き弁７１が接続される部位としても最適である。圧力逃がし弁７０及び空気抜き弁７１は、室内機２００に設けられている。
【００３２】
圧力逃がし弁７０は、水の温度変化に伴う水回路２１０内の圧力の過上昇を防ぐ保護装置である。水回路２１０内の圧力が膨張タンク５２（後述）の圧力制御範囲を超えて高くなった場合には、圧力逃がし弁７０が開放され、水回路２１０内の水が圧力逃がし弁７０から外部に放出される。
【００３３】
空気抜き弁７１は、ヒートポンプ給湯装置１０００の据付け時に水回路２１０内に混入したガス、又は、ヒートポンプ給湯装置１０００の試運転時などに水回路２１０内の水から分離したガスを外部に放出し、ポンプ５３の空回りを防止する装置である。空気抜き弁７１としては、例えばフロート式の自動空気抜き弁であって、手動操作により閉止可能な構造を有するものが用いられる。ここで、閉止可能とは、弁の排出口をキャップやナット等によって塞ぐことが可能であるか、又は、フロート等の弁体を固定することが可能であることをいう。空気抜き弁７１は、ヒートポンプ給湯装置１０００が据え付けられて試運転が終了した時点でほとんど不要になる。このため、ヒートポンプ給湯装置１０００が据付け工事業者からユーザに引き渡された後には、空気抜き弁７１は手動操作により閉止される。空気抜き弁７１が閉止されると、水回路２１０内のガスは空気抜き弁７１から排出されなくなる。
【００３４】
ブースタヒータ５４の筐体には、主回路２２０から分岐した水流路となる配管７２の一端が接続されている。配管７２の他端には、圧力逃がし弁７０が取り付けられている。配管７２の途中には、分岐部７２ａが設けられている。分岐部７２ａには、配管７３の一端が接続されている。配管７３の他端には、空気抜き弁７１が取り付けられている。
【００３５】
配管７２のうち分岐部７２ａと圧力逃がし弁７０との間には、開閉弁７４が設けられている。すなわち、開閉弁７４は、圧力逃がし弁７０の入口側（反排出口側）に設けられている。開閉弁７４は、開閉装置の一例である。開閉弁７４は、開放と閉止が可能な二方弁である。開閉弁７４としては、例えば、後述する制御装置２０１の制御により開閉する電磁弁が用いられる。本例のように、室内機２００と組み合わされる室外機１００Ａで可燃性冷媒が用いられている場合には、制御装置２０１の制御により、開閉弁７４は閉状態に設定される。一方、室外機で不燃性冷媒が用いられている場合には、制御装置２０１の制御により、開閉弁７４は開状態に設定される。
【００３６】
開閉弁７４としては、手動操作により開閉する手動弁を用いることもできる。開閉弁７４が手動弁である場合、室内機２００の据付工事説明書には、可燃性冷媒が用いられている室外機１００Ａと組み合わされるときには開閉弁７４を閉状態とし、不燃性冷媒が用いられている室外機と組み合わされるときには開閉弁７４を開状態とする旨の設定要領が記載される。
【００３７】
配管７２のうちブースタヒータ５４と分岐部７２ａとの間には、分岐部７２ｂが設けられている。分岐部７２ｂには、配管７５の一端が接続されている。配管７５の他端には、膨張タンク５２が接続されている。すなわち、膨張タンク５２は、配管７５、７２を介してブースタヒータ５４に接続されている。膨張タンク５２は、水の温度変化に伴う水回路２１０内の圧力変化を一定範囲内に制御するための装置である。
【００３８】
本実施の形態では、室内機２００に設けられた圧力逃がし弁７０とは別に、圧力逃がし弁５８が室外機１００Ａに設けられている。室外機１００Ａの圧力逃がし弁５８は、室外機１００Ａの主回路２２０のうち、主回路２２０の水の流れ方向（図１中の矢印Ｆ１）において負荷側熱交換器２の下流側に設けられている。圧力逃がし弁５８は、水回路２１０内の圧力の過上昇を防ぐ保護装置であり、圧力逃がし弁７０と同様の構造を有している。水回路２１０内の圧力が膨張タンク５２の圧力制御範囲を超えて高くなった場合には、水回路２１０内の水が圧力逃がし弁５８によって外部に放出される。圧力逃がし弁５８は、例えば、室外機１００Ａの筐体の外部に設けられている。
【００３９】
また、本実施の形態では、室内機２００に設けられた空気抜き弁７１とは別に、空気抜き弁５９が室外機１００Ａに設けられている。室外機１００Ａの空気抜き弁５９は、室外機１００Ａの主回路２２０のうち、主回路２２０の水の流れ方向において負荷側熱交換器２の下流側に設けられている。本例では、空気抜き弁５９は、主回路２２０の水の流れ方向において圧力逃がし弁５８のさらに下流側に設けられている。空気抜き弁５９は、水回路２１０で発生したガス及び水回路２１０内に混入したガスを外部に放出し、ポンプ５３が空回りすることを防止する装置である。空気抜き弁５９としては、例えばフロート式の自動空気抜き弁が用いられる。空気抜き弁５９は、例えば、手動操作による閉止ができない構造を有している。すなわち、室外機１００Ａの空気抜き弁５９は、室内機２００の空気抜き弁７１とは異なり、常時動作可能である。空気抜き弁５９は、例えば、室外機１００Ａの筐体の外部に設けられている。
【００４０】
枝回路２２１は、室内機２００に設けられている。枝回路２２１の上流端は、三方弁５５の一方の流出口に接続されている。枝回路２２１の下流端は、分岐部２３０に接続されている。枝回路２２１には、コイル６１が設けられている。コイル６１は、内部に水を貯める貯湯タンク５１に内蔵されている。コイル６１は、水回路２１０の枝回路２２１を循環する水（温水）との熱交換によって、貯湯タンク５１内部に溜まった水を加熱する加熱手段である。また、貯湯タンク５１は、浸水ヒータ６０を内蔵している。浸水ヒータ６０は、貯湯タンク５１内部に溜まった水をさらに加熱するための加熱手段である。
【００４１】
貯湯タンク５１内の上部には、例えばシャワー等に接続されるサニタリー回路側配管８１ａ（例えば、給湯配管）が接続されている。貯湯タンク５１内の下部には、サニタリー回路側配管８１ｂ（例えば、補給水配管）が接続されている。サニタリー回路側配管８１ｂにも排水口６３が設けられている。ここで、外部への放熱によって貯湯タンク５１の内部の水の温度が低下するのを防ぐため、貯湯タンク５１は断熱材（図示せず）で覆われている。断熱材には、例えばフェルト、シンサレート（登録商標）、ＶＩＰ（Ｖａｃｕｕｍ  Ｉｎｓｕｌａｔｉｏｎ  Ｐａｎｅｌ）等が用いられる。
【００４２】
枝回路２２２は、室内機２００に設けられている。枝回路２２２は、往き管２２２ａ及び戻り管２２２ｂを有している。往き管２２２ａの上流端は、三方弁５５の他方の流出口に接続されている。戻り管２２２ｂの下流端は、分岐部２３０に接続されている。往き管２２２ａの下流端及び戻り管２２２ｂの上流端は、外部に設けられたラジエータ又は床暖房等の暖房機器３００が接続される暖房回路側配管８２ａ、８２ｂにそれぞれ接続されている。
【００４３】
主回路２２０のうち、負荷側熱交換器２、圧力逃がし弁５８及び空気抜き弁５９は、室外機１００Ａに設けられている。主回路２２０のうち、負荷側熱交換器２、圧力逃がし弁５８及び空気抜き弁５９以外の機器は、室内機２００に設けられている。すなわち、水回路２１０の主回路２２０は、室外機１００Ａと室内機２００とに跨がって設けられている。主回路２２０の一部は室外機１００Ａに設けられ、主回路２２０の他の一部は室内機２００に設けられている。室外機１００Ａと室内機２００との間は、水配管の一部である２本の接続配管２１１、２１２を介して接続されている。
【００４４】
室内機２００には、主に水回路２１０（例えば、ポンプ５３、ブースタヒータ５４、三方弁５５、開閉弁７４等）の動作を制御する制御装置２０１が設けられている。制御装置２０１は、ＣＰＵ、ＲＯＭ、ＲＡＭ、Ｉ／Ｏポート等を備えたマイクロコンピュータを有している。制御装置２０１は、制御装置１０１及び操作部２０２と相互に通信できるようになっている。
【００４５】
例えば、制御装置２０１は、室外機１００Ａの制御装置１０１から情報を取得し、取得した情報に基づいて開閉弁７４を開閉する。取得する情報は、冷媒の名称の情報、又は冷媒の燃焼性の情報などである。冷媒の燃焼性の情報には、冷媒が可燃性であるか不燃性であるかの情報、又は冷媒の燃焼性クラス（例えば、ＡＳＨＲＡＥ３４の分類における１、２Ｌ、２、３）の情報などがある。制御装置２０１は、制御装置１０１から取得した情報に基づき、室外機１００Ａで可燃性冷媒が用いられていると判断した場合には開閉弁７４を閉状態に設定し、室外機で不燃性冷媒が用いられていると判断した場合には開閉弁７４を開状態に設定する。
【００４６】
また、制御装置２０１は、室外機１００Ａが圧力逃がし弁５８を有しているか否かを表す情報を制御装置１０１から取得し、取得した情報に基づいて開閉弁７４を開閉してもよい。例えば、制御装置２０１は、取得した情報に基づいて、室外機１００Ａが圧力逃がし弁５８を有していると判断した場合には開閉弁７４を閉状態に設定し、室外機１００Ａが圧力逃がし弁５８を有していると判断できない場合（室外機１００Ａが圧力逃がし弁５８を有していないと判断した場合を含む）には開閉弁７４を開状態に設定する。
【００４７】
操作部２０２は、ヒートポンプ給湯装置１０００の操作や各種設定をユーザが行うことができるようになっている。本例の操作部２０２は、表示部２０３を備えている。表示部２０３では、ヒートポンプ給湯装置１０００の状態等の各種情報を表示することができる。操作部２０２は、例えば室内機２００の筐体に設けられている。
【００４８】
次に、負荷側熱交換器２において、冷媒流路と水流路とを隔離する隔壁が破損した場合の動作について説明する。負荷側熱交換器２は、除霜運転時に蒸発器として機能する。このため、負荷側熱交換器２の隔壁は、特に除霜運転時には、水の凍結等により破損してしまう場合がある。一般に、負荷側熱交換器２の冷媒流路を流れる冷媒の圧力は、通常運転時及び除霜運転時のいずれにおいても、負荷側熱交換器２の水流路を流れる水の圧力よりも高い。このため、負荷側熱交換器２の隔壁が破損した場合、通常運転時及び除霜運転時のいずれにおいても冷媒流路の冷媒が水流路に流出し、水流路の水に冷媒が混入する。このとき、水に混入した冷媒は、圧力の低下によりガス化する。また、水よりも圧力の高い冷媒が水に混入することによって、水流路内の圧力は上昇する。
【００４９】
本例のように、室外機１００Ａが圧力逃がし弁５８を有している場合、冷媒の混入によって水回路２１０内の圧力が上昇すると、水に混入した冷媒は、圧力逃がし弁５８によって、屋外空間の大気中に水と共に放出される。また、本例のように、室外機１００Ａが空気抜き弁５９を有している場合、水に混入したガス状態の冷媒は、空気抜き弁５９によって、屋外空間の大気中に放出される。すなわち、圧力逃がし弁５８及び空気抜き弁５９はいずれも、水回路２１０内の水に混入した冷媒を外部に放出する弁として機能する。
【００５０】
ただし、水回路２１０の水に混入した冷媒は、室外機１００Ａに設けられた圧力逃がし弁５８及び空気抜き弁５９だけでなく、室内機２００に設けられた圧力逃がし弁７０及び空気抜き弁７１からも排出される可能性がある。この場合、本例のように冷媒が可燃性を有している場合、室内に排出された冷媒によって室内に可燃濃度域が生成されてしまうおそれがある。
【００５１】
しかしながら、本実施の形態の室内機２００の構成では、開閉弁７４が水回路２１０と圧力逃がし弁７０との間に介在して設けられているため、開閉弁７４が閉状態に設定されることにより、冷媒が圧力逃がし弁７０から室内に排出されるのを防ぐことができる。また、本実施の形態の構成では、空気抜き弁７１が閉止可能な構造を有しているため、冷媒が空気抜き弁７１から室内に排出されるのを防ぐことができる。
【００５２】
図２は、本実施の形態の変形例に係るヒートポンプ利用機器の概略構成を示す回路図である。本変形例では、冷媒として不燃性冷媒が用いられた室外機１００Ｂと、図１と同様の室内機２００と、が組み合わされたヒートポンプ給湯装置１０００を例示している。図２に示す室外機１００Ｂは、不燃性冷媒が用いられている点と、圧力逃がし弁５８及び空気抜き弁５９が設けられていない点とで、図１に示した室外機１００Ａと異なっている。
【００５３】
図２に示すように、不燃性冷媒が用いられる室外機１００Ｂの場合、通常、圧力逃がし弁５８及び空気抜き弁５９が設けられていない。しかしながら、本実施の形態の室内機２００では、開閉弁７４が開状態に設定されることにより、圧力逃がし弁７０を機能させることができる。また、本実施の形態の室内機２００では、必要に応じて空気抜き弁７１を閉止しないようにすることにより、空気抜き弁７１を機能させることができる。したがって、本実施の形態の室内機２００は、不燃性冷媒が用いられ圧力逃がし弁５８及び空気抜き弁５９を備えない室外機１００Ｂに接続することも可能である。
【００５４】
以上説明したように、本実施の形態に係るヒートポンプ利用機器の室内機２００は、冷媒を循環させる冷媒回路１１０と、水（熱媒体の一例）を流通させる水回路２１０（熱媒体回路の一例）と、冷媒と水との熱交換を行う負荷側熱交換器２（熱交換器の一例）と、を備えるヒートポンプ利用機器の一部を構成し、冷媒回路１１０及び負荷側熱交換器２を収容する室外機１００Ａ、１００Ｂに接続され、水回路２１０の一部を収容するヒートポンプ利用機器の室内機２００であって、水回路２１０に接続された圧力逃がし弁７０（圧力保護装置の一例）と、水回路２１０と圧力逃がし弁７０との間に介在して設けられた開閉弁７４（開閉装置の一例）と、を有するものである。
【００５５】
本実施の形態では、開閉弁７４が水回路２１０と圧力逃がし弁７０との間に介在して設けられている。このため、開閉弁７４を閉状態にすることにより、冷媒が水回路２１０に漏洩したとしても、水に混入した冷媒が圧力逃がし弁７０から室内に排出されるのを防ぐことができる。したがって、本実施の形態の室内機２００によれば、冷媒として可燃性冷媒が用いられる室外機１００Ａに接続される場合であっても、室内に可燃濃度域が生成されてしまうのを抑制することができる。
【００５６】
また、本実施の形態では、開閉弁７４を開状態にすることにより、圧力逃がし弁７０を機能させることができる。したがって、本実施の形態の室内機２００は、不燃性冷媒が用いられ圧力逃がし弁を備えない室外機１００Ｂに接続することも可能である。
【００５７】
すなわち、本実施の形態の室内機２００によれば、可燃性冷媒が用いられ圧力逃がし弁５８を備える室外機１００Ａとの組合せ（図１参照）と、不燃性冷媒が用いられ圧力逃がし弁５８を備えない室外機１００Ｂとの組合せ（図２参照）と、の双方に汎用的に対応できる。したがって、ユーザ側にとっては、ヒートポンプ給湯装置１０００を購入する際に、室内機と室外機との組合せ可否を確認する必要がなくなるという利点が生じる。メーカ側にとっては、室内機を汎用機化できることにより、室外機１００Ａ、１００Ｂのそれぞれとの組合せ専用の室内機を用意する必要がなくなるため、在庫管理の煩雑さを解消できる、すなわち、製造管理コストを削減できるという利点が生じる。
【００５８】
また、本実施の形態に係るヒートポンプ利用機器の室内機２００において、水回路２１０は、主回路２２０と、主回路２２０に対して分岐して接続された複数の枝回路２２１、２２２と、を有しており、圧力逃がし弁７０は、主回路２２０に接続されていてもよい。
【００５９】
また、本実施の形態に係るヒートポンプ利用機器の室内機２００において、主回路２２０には、ブースタヒータ５４が設けられており、圧力逃がし弁７０は、ブースタヒータ５４に接続されていてもよい。
【００６０】
また、本実施の形態に係るヒートポンプ利用機器の室内機２００において、開閉弁７４と主回路２２０（例えば、ブースタヒータ５４）との間を接続する配管７２には分岐部７２ｂ（第１分岐部の一例）が設けられており、分岐部７２ｂには膨張タンク５２が接続されていてもよい。
【００６１】
また、本実施の形態に係るヒートポンプ利用機器の室内機２００は、水回路２１０に接続された閉止可能な空気抜き弁７１（空気抜き装置の一例）をさらに有していてもよい。空気抜き弁７１は閉止可能な構造を有しているため、冷媒が水回路２１０に漏洩したとしても、水に混入した冷媒が空気抜き弁７１から室内に排出されるのを防ぐことができる。また、必要に応じて空気抜き弁７１を閉止しないようにすることにより、空気抜き弁７１を機能させることができる。
【００６２】
また、本実施の形態に係るヒートポンプ利用機器の室内機２００において、水回路２１０は、主回路２２０と、主回路２２０に対して分岐して接続された複数の枝回路２２１、２２２と、を有しており、空気抜き弁７１は、主回路２２０に接続されていてもよい。
【００６３】
また、本実施の形態に係るヒートポンプ利用機器の室内機２００において、主回路２２０には、ブースタヒータ５４が設けられており、空気抜き弁７１は、ブースタヒータ５４に接続されていてもよい。
【００６４】
また、本実施の形態に係るヒートポンプ利用機器の室内機２００において、開閉弁７４と水回路２１０とを接続する配管７２には分岐部７２ａ（第３分岐部の一例）が設けられており、空気抜き弁７１は分岐部７２ａに接続されていてもよい。
【００６５】
また、本実施の形態に係るヒートポンプ利用機器の室内機２００において、開閉弁７４を制御する制御装置２０１（制御部の一例）をさらに有し、制御装置２０１は、室外機１００Ａ、１００Ｂから取得した情報に基づいて開閉弁７４を開閉するように構成されていてもよい。
【００６６】
また、本実施の形態に係るヒートポンプ利用機器の室内機２００において、上記情報は、冷媒の名称の情報、冷媒の燃焼性の情報、室外機１００Ａ、１００Ｂが水回路２１０に接続された圧力逃がし弁５８を有しているか否かを表す情報、室外機１００Ａ、１００Ｂが水回路２１０に接続された空気抜き弁５９を有しているか否かを表す情報、又は、室外機１００Ａ、１００Ｂが水回路２１０に接続された圧力逃がし弁５８及び空気抜き弁５９を有しているか否かを表す情報であってもよい。
【００６７】
また、本実施の形態に係るヒートポンプ利用機器の室内機２００において、制御装置２０１は、冷媒が可燃性冷媒であると判断した場合、開閉弁７４を閉状態にするように構成されていてもよい。
【００６８】
また、本実施の形態に係るヒートポンプ利用機器の室内機２００において、制御装置２０１は、冷媒が不燃性冷媒であると判断した場合、開閉弁７４を開状態にするように構成されていてもよい。
【００６９】
また、本実施の形態に係るヒートポンプ利用機器の室内機２００において、制御装置２０１は、室外機が水回路２１０に接続された圧力逃がし弁５８を有していると判断した場合、開閉弁７４を閉状態にするように構成されていてもよい。
【００７０】
また、本実施の形態に係るヒートポンプ利用機器の室内機２００において、制御装置２０１は、室外機が水回路２１０に接続された圧力逃がし弁５８を有していると判断できない場合、開閉弁７４を開状態にするように構成されていてもよい。
【００７１】
また、本実施の形態に係るヒートポンプ利用機器の室内機２００において、制御装置２０１は、室外機が水回路２１０に接続された空気抜き弁５９を有していると判断した場合、開閉弁７４を閉状態にするように構成されていてもよい。
【００７２】
また、本実施の形態に係るヒートポンプ利用機器の室内機２００において、制御装置２０１は、室外機が水回路２１０に接続された空気抜き弁５９を有していると判断できない場合、開閉弁７４を開状態にするように構成されていてもよい。
【００７３】
また、本実施の形態に係るヒートポンプ利用機器（例えば、ヒートポンプ給湯装置１０００）は、室内機２００と室外機１００Ａ又は室外機１００Ｂとを備えたものである。
【００７４】
また、本実施の形態に係るヒートポンプ利用機器において、室外機１００Ａは、水回路２１０に接続された圧力逃がし弁５８及び空気抜き弁５９の少なくとも一方を有していてもよい。
【００７５】
実施の形態２．
本発明の実施の形態２に係るヒートポンプ利用機器の室内機及びそれを備えたヒートポンプ利用機器について説明する。図３は、本実施の形態に係るヒートポンプ利用機器の概略構成を示す回路図である。本実施の形態では、ヒートポンプ利用機器として、ヒートポンプ給湯装置１０００を例示している。なお、実施の形態１と同一の機能及び作用を有する構成要素については、同一の符号を付してその説明を省略する。
【００７６】
図３に示すように、本実施の形態の室内機２００では、配管７２と配管７３とを分岐させる分岐部７２ａが圧力逃がし弁７０と開閉弁７４との間に設けられている。開閉弁７４は、分岐部７２ａと分岐部７２ｂとの間に設けられている。すなわち、開閉弁７４は、水回路２１０と圧力逃がし弁７０との間に介在しているとともに、水回路２１０と空気抜き弁７１との間に介在している。本実施の形態によっても、実施の形態１と同様の効果が得られる。
【００７７】
制御装置２０１は、室内機２００に接続される室外機（例えば、室外機１００Ａ又は室外機１００Ｂ）の制御装置１０１から情報を取得し、取得した情報に基づいて開閉弁７４を開閉する。取得する情報は、冷媒の名称の情報、冷媒の燃焼性の情報、室外機が圧力逃がし弁５８を有しているか否かを表す情報、室外機が空気抜き弁５９を有しているか否かを表す情報、又は、室外機が圧力逃がし弁５８及び空気抜き弁５９を有しているか否かを表す情報などである。
【００７８】
例えば、制御装置２０１は、取得した情報に基づいて、室外機が空気抜き弁５９を有していると判断した場合には開閉弁７４を閉状態に設定し、室外機が空気抜き弁５９を有していると判断できない場合には開閉弁７４を開状態に設定する。
【００７９】
また、例えば、制御装置２０１は、取得した情報に基づいて、室外機が圧力逃がし弁５８及び空気抜き弁５９を有していると判断した場合には開閉弁７４を閉状態に設定し、室外機が圧力逃がし弁５８及び空気抜き弁５９を有していると判断できない場合には開閉弁７４を開状態に設定する。
【００８０】
以上説明したように、本実施の形態に係るヒートポンプ利用機器の室内機２００において、圧力逃がし弁７０と開閉弁７４とを接続する配管７２には分岐部７２ａ（第２分岐部の一例）が設けられており、空気抜き弁７１は分岐部７２ａに接続されていてもよい。
【００８１】
また、本実施の形態に係るヒートポンプ利用機器の室内機２００において、開閉弁７４を制御する制御装置２０１（制御部の一例）をさらに有し、制御装置２０１は、室外機１００Ａ、１００Ｂから取得した情報に基づいて開閉弁７４を開閉するように構成されていてもよい。
【００８２】
また、本実施の形態に係るヒートポンプ利用機器の室内機２００において、上記情報は、冷媒の名称の情報、冷媒の燃焼性の情報、室外機１００Ａ、１００Ｂが水回路２１０に接続された圧力逃がし弁５８を有しているか否かを表す情報、室外機１００Ａ、１００Ｂが水回路２１０に接続された空気抜き弁５９を有しているか否かを表す情報、又は、室外機１００Ａ、１００Ｂが水回路２１０に接続された圧力逃がし弁５８及び空気抜き弁５９を有しているか否かを表す情報であってもよい。
【００８３】
実施の形態３．
本発明の実施の形態３に係るヒートポンプ利用機器の室内機及びそれを備えたヒートポンプ利用機器について説明する。図４は、本実施の形態に係るヒートポンプ利用機器の概略構成を示す回路図である。本実施の形態では、ヒートポンプ利用機器として、ヒートポンプ給湯装置１０００を例示している。なお、実施の形態１と同一の機能及び作用を有する構成要素については、同一の符号を付してその説明を省略する。
【００８４】
図４に示すように、本実施の形態の室内機２００では、圧力逃がし弁７０及び空気抜き弁７１が実施の形態１と同様に配管７２を介してブースタヒータ５４に接続されているのに対し、膨張タンク５２は、配管７２とは別の配管７６を介して主回路２２０に接続されている。本例の膨張タンク５２は、主回路２２０のうちブースタヒータ５４以外の部分（例えば、ブースタヒータ５４の下流側でポンプ５３の上流側に設けられた分岐部）に接続されている。
【００８５】
開閉弁７４は、配管７２のうち分岐部７２ａと圧力逃がし弁７０との間に設けられている。開閉弁７４は、配管７２のうちブースタヒータ５４と分岐部７２ａとの間に設けられていてもよい。本実施の形態によっても、実施の形態１と同様の効果が得られる。
【００８６】
実施の形態４．
本発明の実施の形態４に係るヒートポンプ利用機器の室内機及びそれを備えたヒートポンプ装置について説明する。図５は、本実施の形態に係るヒートポンプ利用機器の室内機２００の一部の構成を示す回路図である。図５に示す部分以外のヒートポンプ利用機器の構成は、実施の形態１と同様である。
【００８７】
図５に示すように、本実施の形態では、分岐部７２ａと空気抜き弁７１との間の配管７３に開閉弁７４が設けられている。すなわち、開閉弁７４は、空気抜き弁７１と水回路２１０の主回路２２０との間に介在して設けられている。開閉弁７４は、例えば、実施の形態１の開閉弁７４と同様に、室外機で可燃性冷媒が用いられている場合には閉状態となり、室外機で不燃性冷媒が用いられている場合には開状態となるように制御される。また、実施の形態１と同様に、開閉弁７４としては手動弁を用いることもできる。
【００８８】
以上説明したように、本実施の形態に係るヒートポンプ利用機器の室内機２００は、冷媒を循環させる冷媒回路１１０と、水（熱媒体の一例）を流通させる水回路２１０（熱媒体回路の一例）と、冷媒と水との熱交換を行う負荷側熱交換器２（熱交換器の一例）と、を備えるヒートポンプ利用機器の一部を構成し、冷媒回路１１０及び負荷側熱交換器２を収容する室外機１００Ａ、１００Ｂに接続され、水回路２１０の一部を収容するヒートポンプ利用機器の室内機２００であって、水回路２１０に接続された空気抜き弁７１（空気抜き装置の一例）と、水回路２１０と空気抜き弁７１との間に介在して設けられた開閉弁７４（開閉装置の一例）と、を有するものである。
【００８９】
上記構成によれば、開閉弁７４を閉状態にすることにより、冷媒が水回路２１０に漏洩したとしても、水に混入した冷媒が空気抜き弁７１から室内に排出されるのを防ぐことができる。したがって、本実施の形態の室内機２００によれば、冷媒として可燃性冷媒が用いられる室外機１００Ａに接続される場合であっても、室内に可燃濃度域が生成されてしまうのを抑制することができる。
【００９０】
また、本実施の形態では、開閉弁７４を開状態にすることにより、空気抜き弁７１を機能させることができる。したがって、本実施の形態の室内機２００は、不燃性冷媒が用いられ空気抜き弁を備えない室外機１００Ｂに接続することも可能である。
【００９１】
本発明は、上記実施の形態に限らず種々の変形が可能である。
例えば、上記実施の形態では、負荷側熱交換器２としてプレート式熱交換器を例に挙げたが、負荷側熱交換器２は、冷媒と熱媒体との熱交換を行うものであれば、二重管式熱交換器など、プレート式熱交換器以外のものであってもよい。
【００９２】
また、上記実施の形態では、ヒートポンプ利用機器としてヒートポンプ給湯装置１０００を例に挙げたが、本発明は、チラー等の他のヒートポンプ利用機器にも適用可能である。
【００９３】
また、上記実施の形態では、貯湯タンク５１を備えた室内機２００を例に挙げたが、貯湯タンクは室内機２００とは別に設けられていてもよい。
【００９４】
上記の各実施の形態や変形例は、互いに組み合わせて実施することが可能である。
【符号の説明】
【００９５】
１  熱源側熱交換器、２  負荷側熱交換器、３  圧縮機、４  冷媒流路切替装置、５  中圧レシーバ、６  第１減圧装置、７  第２減圧装置、１１  吸入配管、５１  貯湯タンク、５２  膨張タンク、５３  ポンプ、５４  ブースタヒータ、５５  三方弁、５６  ストレーナ、５７  フロースイッチ、５８  圧力逃がし弁、５９  空気抜き弁、６０  浸水ヒータ、６１  コイル、６２、６３  排水口、７０  圧力逃がし弁、７１  空気抜き弁、７２  配管、７２ａ、７２ｂ  分岐部、７３  配管、７４  開閉弁、７５、７６  配管、８１ａ、８１ｂ  サニタリー回路側配管、８２ａ、８２ｂ  暖房回路側配管、１００Ａ、１００Ｂ  室外機、１０１  制御装置、１０２  制御線、１１０  冷媒回路、２００  室内機、２０１  制御装置、２０２  操作部、２０３  表示部、２１０  水回路、２１１、２１２  接続配管、２２０  主回路、２２１、２２２  枝回路、２２２ａ  往き管、２２２ｂ  戻り管、２３０  分岐部、３００  暖房機器、１０００  ヒートポンプ給湯装置。
【図１】
0006611958.tif 000002
【図２】
0006611958.tif 000003
【図３】
0006611958.tif 000004
【図４】
0006611958.tif 000005
【図５】
0006611958.tif 000006